【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
複数の撮影画像に基づく仮想視点画像の再生速度を決定する決定手段と、
前記決定手段により決定された再生速度での前記仮想視点画像の再生中におけるユーザ操作に応じた入力を受け付ける受付手段と、
前記受付手段により受け付けられた入力に基づいて前記仮想視点画像に対応する仮想視点を変化させる制御を行う制御手段であって、第１再生速度での前記仮想視点画像の再生中における特定のユーザ操作に応じた入力が受け付けられたことに応じて変化する前記仮想視点の変化速度が、前記第１再生速度よりも速い第２再生速度での前記仮想視点画像の再生中における前記特定のユーザ操作に応じた入力が受け付けられたことに応じて変化する前記仮想視点の変化速度よりも遅くなるように制御する制御手段とを有することを特徴とする情報処理装置。
【請求項２】
前記制御手段による制御に応じた仮想視点の経時的な変化を表す視点情報を生成する視点情報生成手段と、
前記決定手段により決定された再生速度とは異なる再生速度で再生される仮想視点画像を、前記視点情報生成手段により生成された視点情報と前記複数の撮影画像とに基づいて生成する画像生成手段とを有することを特徴とする請求項１に記載の情報処理装置。
【請求項３】
前記制御手段による制御に応じた仮想視点の変化を表す視点情報を生成する視点情報生成手段と、
前記視点情報生成手段により生成された視点情報を、前記複数の撮影画像に基づいて仮想視点画像を生成する画像生成装置へ出力する出力手段とを有することを特徴とする請求項１に記載の情報処理装置。
【請求項４】
前記出力手段は、前記画像生成装置により生成される仮想視点画像の再生速度を示す情報を出力することを特徴とする請求項３に記載の情報処理装置。
【請求項５】
前記決定手段により決定される再生速度と前記出力手段により出力される情報が示す再生速度とは異なることを特徴とする請求項４に記載の情報処理装置。
【請求項６】
前記決定手段は、ユーザによる指定操作に基づいて前記仮想視点画像の再生速度を決定することを特徴とする請求項１乃至５の何れか１項に記載の情報処理装置。
【請求項７】
前記決定手段は、前記複数の撮影画像の少なくとも何れかに含まれるオブジェクトの動きに基づいて前記仮想視点画像の再生速度を決定することを特徴とする請求項１乃至５の何れか１項に記載の情報処理装置。
【請求項８】
前記制御手段は、前記決定手段により決定された再生速度に基づいて前記仮想視点の変化速度の上限を決定することを特徴とする請求項１乃至７の何れか１項に記載の情報処理装置。
【請求項９】
前記制御手段は、前記決定手段により決定された再生速度に基づいてユーザ操作に応じた前記仮想視点の変化の感度を決定することを特徴とする請求項１乃至７の何れか１項に記載の情報処理装置。
【請求項１０】
前記制御手段は、前記受付手段により受け付けられた入力に基づいて前記仮想視点の位置と向きと画角との少なくとも何れかを変化させることを特徴とする請求項１乃至９の何れか１項に記載の情報処理装置。
【請求項１１】
前記決定手段は、仮想視点画像の再生中に仮想視点の移動軌跡を示すカメラパスを作成するカメラパス作成モードでの当該仮想視点の再生速度を決定することを特徴とする請求項１乃至１０の何れか1項に記載の情報処理装置。
【請求項１２】
複数の撮影画像に基づく仮想視点画像の再生速度を決定する決定手段と、
前記仮想視点画像の再生中におけるユーザ操作に応じた入力を受け付ける受付手段と、
前記受付手段により受け付けられた入力に基づいて前記仮想視点画像に対応する仮想視点を変化させる制御手段であって、前記決定手段により決定された再生速度と前記入力とに基づいて決まる速さで前記仮想視点を変化させる制御手段とを有することを特徴とする情報処理装置。
【請求項１３】
前記制御手段は、前記決定手段により決定された再生速度に基づいて前記仮想視点の変化速度の上限を決定することを特徴とする請求項１２に記載の情報処理装置。
【請求項１４】
前記制御手段は、前記決定手段により決定された再生速度に基づいてユーザ操作に応じた前記仮想視点の変化の感度を決定することを特徴とする請求項１２に記載の情報処理装置。
【請求項１５】
複数の撮影画像に基づく仮想視点画像の再生速度を決定する決定工程と、
前記決定工程により決定された再生速度での前記仮想視点画像の再生中におけるユーザ操作に応じた入力を受け付ける受付工程と、
前記受付工程により受け付けられた入力に基づいて前記仮想視点画像に対応する仮想視点を変化させる制御を行う制御工程であって、第１再生速度での前記仮想視点画像の再生中における特定のユーザ操作に応じた入力が受け付けられたことに応じて変化する前記仮想視点の変化速度が、前記第１再生速度よりも速い第２再生速度での前記仮想視点画像の再生中における前記特定のユーザ操作に応じた入力が受け付けられたことに応じて変化する前記仮想視点の変化速度よりも遅くなるように制御する制御工程とを有することを特徴とする情報処理方法。
【請求項１６】
前記制御工程における制御に応じた仮想視点の経時的な変化を表す視点情報を生成する視点情報生成工程と、
前記決定工程において決定された再生速度とは異なる再生速度で再生される仮想視点画像を、前記視点情報生成工程において生成された視点情報と前記複数の撮影画像とに基づいて生成する画像生成工程とを有することを特徴とする請求項１５に記載の情報処理方法。
【請求項１７】
前記制御工程は、前記決定工程において決定された再生速度に基づいて前記仮想視点の変化速度の上限を決定することを特徴とする請求項１５又は１６に記載の情報処理方法。
【請求項１８】
前記制御工程は、前記決定工程において決定された再生速度に基づいてユーザ操作に応じた前記仮想視点の変化の感度を決定することを特徴とする請求項１５又は１６に記載の情報処理方法。
【請求項１９】
コンピュータを、請求項１乃至１４の何れか1項に記載の情報処理装置として機能させるためのプログラム。
【手続補正２】
【補正対象書類名】明細書
【補正対象項目名】０００８
【補正方法】変更
【補正の内容】
【０００８】
上記の目的を達成する本発明に係る情報処理装置は、
複数の撮影画像に基づく仮想視点画像の再生速度を決定する決定手段と、
前記決定手段により決定された再生速度での前記仮想視点画像の再生中におけるユーザ操作に応じた入力を受け付ける受付手段と、
前記受付手段により受け付けられた入力に基づいて前記仮想視点画像に対応する仮想視点を変化させる制御を行う制御手段であって、第１再生速度での前記仮想視点画像の再生中における特定のユーザ操作に応じた入力が受け付けられたことに応じて変化する前記仮想視点の変化速度が、前記第１再生速度よりも速い第２再生速度での前記仮想視点画像の再生中における前記特定のユーザ操作に応じた入力が受け付けられたことに応じて変化する前記仮想視点の変化速度よりも遅くなるように制御する制御手段とを有することを特徴とする。
【手続補正３】
【補正対象書類名】明細書
【補正対象項目名】発明の名称
【補正方法】変更
【補正の内容】
【発明の名称】情報処理装置、情報処理方法及びプログラム
【手続補正４】
【補正対象書類名】明細書
【補正対象項目名】０００１
【補正方法】変更
【補正の内容】
【０００１】
本発明は、情報処理装置、情報処理方法及びプログラムに関するものである。